(57)【要約】  フレーム製作装置（１）であって、実質的にフレームの選択された平面内に釘を発射するのに適応した少なくとも１つの釘打ち機（１５）と、センサ（４０）と、対応のインターロック（４１）とを含む。センサは、少なくとも１つの釘打ち機に取付けられており、センサと、対応のインターロックは、センサ信号を提供し、センサ戻り信号の存否を検出し、センサ戻り信号の存否に応答して少なくとも１つの釘打ち機からの釘の発射を阻止するのに適応している。
2009508727.tif 000002
【特許請求の範囲】
【請求項１】
実質的にフレームの選択された平面内に釘を発射するのに適応した少なくとも１つの釘打ち機と、センサと、対応のインターロックとを含むフレーム製作装置において、
前記センサが前記少なくとも１つの釘打ち機に取付けられており、
前記センサおよび対応のインターロックが、
１．センサ信号を提供し、
２．センサ戻り信号の存否を検出し、
３．前記センサ戻り信号の存否に応答して前記少なくとも１つの釘打ち機からの釘の発射を阻止することを特徴とするフレーム製作装置。
【請求項２】
前記センサおよび対応のインターロックがセンサ戻り信号の存在しないことを検出することを特徴とする請求項１に記載のフレーム製作装置。
【請求項３】
釘打ち機の釘を発射する部分の付近に前記センサ信号が提供、検出されることを特徴とする請求項１に記載のフレーム製作装置。
【請求項４】
前記センサが、光電センサ、静電容量センサまたは類似のセンサから成る群から選択されることを特徴とする請求項１〜３の何れか１項に記載のフレーム製作装置。
【請求項５】
実質的にフレームの選択された平面において釘を発射する少なくとも１つの釘打ち機と、前記少なくとも１つの釘打ち機に釘を供給する釘供給手段であって、複数の釘から成るベルトを前記少なくとも１つの釘打ち機に供給する釘供給手段と、センサおよび対応のインターロックと、前記少なくとも１つの釘打ち機用の少なくとも１つのマウントとを含むフレーム製作装置において、
釘打ち機用の前記少なくとも１つのマウントが、前記釘打ち機を鉛直方向に並進させるようになっており、前記センサが前記少なくとも１つの釘打ち機に取付けられており、
前記センサおよび対応のインターロックが、センサ信号を提供し、センサ戻り信号の存否を検出し、センサ戻り信号の存否に応答して前記少なくとも１つの釘打ち機からの釘の発射を阻止することを特徴とするフレーム製作装置。
【請求項６】
釘打ち機用の前記少なくとも１つのマウントが、少なくとも１つのアクチュエータによって、前記少なくとも１つの釘打ち機を選択されたフレーム平面に対して垂直方向に並進させることを特徴とする請求項１〜５の何れか１項に記載のフレーム製作装置。
【請求項７】
前記少なくとも１つのアクチュエータが少なくとも１つの油圧式ダブルラムであることを特徴とする請求項６に記載のフレーム製作装置。
【請求項８】
前記選択されたフレーム平面が水平であることを特徴とする請求項１〜７の何れか１項に記載のフレーム製作装置。
【請求項９】
前記フレーム製作装置が、フレーム構造部材を支持するための少なくとも１つのサポートを含むことを特徴とする請求項１〜８の何れか１項に記載のフレーム製作装置。
【請求項１０】
前記サポートの少なくとも一部分が、前記サポートと前記フレーム構造部材の間に所定の摩擦度を提供することを特徴とする請求項９に記載のフレーム製作装置。
【請求項１１】
前記サポートの前記一部分がエンボス塗装を具備することを特徴とする請求項１０に記載のフレーム製作装置。
【請求項１２】
前記装置が、前記少なくとも１つの釘打ち機に釘を供給する釘供給手段、特に、釘のベルトを前記少なくとも１つの釘打ち機に供給するのに適応した釘供給手段を含むことを特徴とする請求項１〜１１の何れか１項に記載のフレーム製作装置。
【請求項１３】
前記釘供給手段がコイル状釘ベルトを含むことを特徴とする請求項１〜１２の何れか１項に記載のフレーム製作装置。
【請求項１４】
前記コイル状釘ベルトが約１０００本超の釘を具備することを特徴とする請求項１３に記載のフレーム製作装置。
【請求項１５】
前記コイル状釘ベルトが約２５００本以上の釘を具備することを特徴とする請求項９〜１０の何れか１項に記載のフレーム製作装置。
【請求項１６】
前記釘供給手段が、前記コイル状釘ベルトが解けるようにするために水平である中心軸を中心として回転することを特徴とする請求項１２〜１５の何れか１項に記載のフレーム製作装置。
【請求項１７】
前記装置が、前記釘ベルトを前記少なくとも１つの釘打ち機に給送する釘ベルトフィーダ、特に、前記ベルトの中の釘を前記少なくとも１つの釘打ち機に向けて強制的に給送するフィーダを含むことを特徴とする請求項１２〜１６の何れか１項に記載のフレーム製作装置。
【請求項１８】
前記釘ベルトフィーダが、前記釘ベルトにおけるどんな張力も釘打ち機から遠ざかる方向で吸収することを特徴とする請求項１７に記載のフレーム製作装置。
【請求項１９】
前記釘ベルトフィーダが、少なくとも１つの係合手段と、前記係合手段のための少なくとも１つのアクチュエータを含み、ここで、前記係合手段が前記釘打ち機に向かう方向で前記ベルトの中の釘と係合するように、前記係合手段が前記アクチュエータによって前記釘ベルト全体にわたって往復させられるようになっていることを特徴とする請求項１７〜１８の何れか１項に記載のフレーム製作装置。
【請求項２０】
前記少なくとも１つの係合手段が少なくとも１つの爪を具備することを特徴とする請求項１９に記載のフレーム製作装置。
【請求項２１】
前記装置がコイル状釘ベルト用マウントを含むことを特徴とする請求項１３〜２０の何れか１項に記載のフレーム製作装置。
【請求項２２】
前記コイル状釘ベルト用マウントが、上に前記コイル状釘ベルトを取付けてよいバレルを含むことを特徴とする請求項２１に記載のフレーム製作装置。
【請求項２３】
前記バレルが、略水平の平面内にある軸を中心として回転するように配置されていることを特徴とする請求項２２に記載のフレーム製作装置。
【請求項２４】
前記コイル状釘ベルト用マウントが、少なくとも前記コイル状釘ベルトを解くコイル回転方向において前記コイル状釘ベルトの回転に耐えられる抵抗力を与える手段を含むことを特徴とする請求項２２〜２３の何れか１項に記載のフレーム製作装置。
【請求項２５】
前記フレーム製作装置が、前記フレームを選択されたフレーム平面においてクランプするのに適応した少なくとも１つの主クランプ面を含むことを特徴とする請求項１〜１４の何れか１項に記載のフレーム製作装置。
【請求項２６】
前記選択された平面が水平であり、前記少なくとも１つのクランプ面が水平方向に作用することを特徴とする請求項２５に記載のフレーム製作装置。
【請求項２７】
前記フレーム製作装置が、前記フレームの部材を前記選択されたフレーム平面において整列させられるようにクランプするのに適応した少なくとも１つの二次クランプ面を含むことを特徴とする請求項２５〜２６の何れか１項に記載のフレーム製作装置。
【請求項２８】
前記平面が水平であり、前記二次クランプ面が鉛直方向で作用することを特徴とする請求項２７に記載のフレーム製作装置。
【請求項２９】
前記少なくとも１つの二次クランプ面は、支持材と板の双方が前記フレームの水平平面において面一になるように前記双方を鉛直方向に揃えてクランプすることを特徴とする請求項２７〜２８の何れか１項に記載のフレーム製作装置。
【請求項３０】
前記フレーム製作装置が、
前記少なくとも１つの釘打ち機と、
前記少なくとも１つの釘打ち機マウントと、
前記少なくとも一次クランプ面と、
前記少なくとも二次クランプ面と、
のうち少なくとも１つを制御するのに適応したコントローラを含むことを特徴とする請求項１〜２９の何れか１項に記載のフレーム製作装置。
【請求項３１】
前記フレーム製作装置が、前記コントローラのための制御入力デバイスを含むことを特徴とする請求項３０に記載のフレーム製作装置。
【請求項３２】
前記制御入力デバイスが、偏心ピボットを付けたバーと、前記バーが旋回して作動位置に入った時点を検出するのに適応した検出器を含むことを特徴とする請求項３０〜３１の何れか１項に記載のフレーム製作装置。
【請求項３３】
前記バーが休止位置に戻るのに適応していることを特徴とする請求項３２に記載のフレーム製作装置。
【請求項３４】
前記バーが重力により前記休止位置に戻るのに適応していることを特徴とする請求項３３に記載のフレーム製作装置。
【請求項３５】
前記偏心ピボットが、重力下での旋回運動を制限するストッパを具備することを特徴とする請求項３２〜３４の何れか１項に記載のフレーム製作装置。
【請求項３６】
前記コントローラが、前記釘打ち機の少なくとも１つの予め設定された並進位置を記憶することを特徴とする請求項３０〜３５の何れか１項に記載のフレーム製作装置。
【請求項３７】
前記予め設定された並進位置が、実質的に単一の釘打ち操作でフレームに追加される釘の対に対応する並進位置の対を含むことを特徴とする請求項３６に記載のフレーム製作装置。
【請求項３８】
前記コントローラは、前記制御入力デバイスがアクティブとなると、釘打ち操作における一連のイベントを開始することを特徴とする請求項３０〜３７の何れか１項に記載のフレーム製作装置。
【請求項３９】
前記コントローラが釘打ち操作における、前記釘打ち機用マウントが前記釘打ち機を第１の予め設定された釘打ち位置へ並進させ、前記釘打ち機が１本の釘を発射する一連のイベントを開始することを特徴とする請求項３０〜３８の何れか１項に記載のフレーム製作装置。
【請求項４０】
前記一連のイベントの後に前記釘打ち機用マウントが前記釘打ち機を第２の予め設定された釘打ち位置へ並進させ、２本目の釘を発射するイベントが続くことを特徴とする請求項３９に記載のフレーム製作装置。
【請求項４１】
前記一連のイベントが、前記一次クランプ面および／または二次クランプ面によるフレームのクランプと共に進行することを特徴とする請求項３９〜４０の何れか１項に記載のフレーム製作装置。
【請求項４２】
前記フレームが一次平面を有する略平面形であり、前記選択された平面が実質的に前記フレームの一次平面であることを特徴とする請求項１〜４１の何れか１項に記載のフレーム製作装置。
【請求項４３】
前記コントローラが、
ユーザ制御入力を受け取り、
釘打ち機の位置を予め設定された第１の位置に対して調整するよう釘打ち機用マウントに制御信号を送信し、
釘を発射するよう釘打ち機に制御信号を送信し、
戻り信号が所定の基準の合致することを示すセンサと通信し、
前記所定の基準に合致しない場合に釘を発射しないように、釘打ち機に何らかの制御信号を送信する段階を実行する、プロセッサ読取り可能な媒体に格納されたプロセッサ実行可能な一連の命令を備えていることを特徴とする請求項３０に記載のフレーム製作装置。
【請求項４４】
前記プロセッサ実行可能な命令が更に、
釘打ち機を予め設定された第２の位置へ移動させるよう釘打ち機用マウントに制御信号を送信し、
釘を発射するよう釘打ち機に制御信号を送信する段階を実行することを特徴とする請求項４３に記載のフレーム製作装置。
【請求項４５】
前記プロセッサ実行可能な命令が、更に、第１のクランプおよび／または第２のクランプを所定の順序で、または同時に作動させるよう制御命令を出すを実行することを特徴とする請求項４３〜４４の何れか１項に記載のフレーム製作装置。
【請求項４６】
１．実質的にフレームの選択された平面内に釘を発射するのに適応した前記少なくとも１つの釘打ち機を準備し、
２．板をフレーム製作装置の長さに沿った所望の１点で位置決めし、
３．支持材を板およびフレーム製作装置に相対して位置決めし、
４．釘打ち機の打ち損じを防止すべくセンサおよび対応のインターロックを構成する段階を含む本発明のフレーム製作装置を使用するフレーム製作方法であって、
５．センサ信号を提供する段階と、
６．センサ戻り信号の存否を検出する段階と、
７．センサ戻り信号の存否に応答して前記少なくとも１つの釘打ち機からの釘の発射を阻止する段階を含むことを特徴とするフレーム製作方法。
【請求項４７】
前記方法が更に、
８．プロセッサ実行可能な一連の命令を開始するコントローラを具備する本装置の制御入力デバイスをアクティブ化する段階と、
９．制御入力デバイスを非アクティブ化する段階とを実行することを特徴とする請求項４６に記載のフレーム製作方法。
【請求項４８】
前記制御入力デバイスがコントロールバーであることを特徴とする請求項４７に記載のフレーム製作方法。
【請求項４９】
上で述べたフレーム製作方法の段階８、９が、
８．装置を作動させ、プロセッサ実行可能な一連の命令を開始するコントローラをトリガすべくコントロールバーを持ち上げる段階と、
９．コントロールバーを重力下でその元の位置へ戻し、それで装置の作動を止めさせる段階とを具備することを特徴とするフレーム製作方法。
【請求項５０】
添付図面１〜１３の何れかに則してここで説明され、図解された通りのフレーム製作装置。
【請求項５１】
添付図面１〜１３の何れかに則してここで説明され、図解された通りのフレーム製作方法。
【発明の詳細な説明】
【技術分野】
【０００１】
本発明は、板または板部材が、両側面または板部材を分離するスタッド、支持材またはブレース部材に釘付けされたフレームを製作する装置に関する。特に、本発明は、そのような部材が互いに釘付けされた壁フレームを製作する装置に関する。
【背景技術】
【０００２】
建物が壁などのプレハブ部材を使って建造されることはしばしばある。プレハブ壁を使用するのは、建物の建造に供される生産ラインの規模の経済性を考えてのことである。
【０００３】
通常、壁部材が有する木材は、スタッドまたはブレースにより互いに接合された天板と底板である。通常、これらの支持材は板に釘で定着させられるが、ここで釘は板を貫通し、支持材の軸方向で支持材の中に突き入る。通常、各支持材に２本または３本の釘が使用される。通常、支持材は矩形の横断面を有し、２本の釘は、支持材の矩形横断面の長さの約三分の一の分だけ間隔をあけられる。
【０００４】
通常、フレームは製作ベッド上に平らに置かれた状態で製作されもする。支持材を板に定着させる釘の２つの位置は、製作ベッド上方の２つの相異なる高さに対応する。
【０００５】
通常、壁部材の製作には、釘打ち機が使用される。なぜなら、釘打ち機が極めて迅速な釘打ち作業を可能にするからである。
【０００６】
釘打ち機に多量の釘を供給する方法のうち、生産ラインの状況に適した１つの方法は、ばら状の釘が通過するホースを経由して行うことかもしれない。ホースはフィーダにより供給されるであろうし、フィーダの方は、「タンブラ」の中で振動させられるか振り回されるかするばら状の釘を大量供給される。タンブラは、釘がホースのための送りシュートの中に落ちていくように釘を振動させて一列に並べる働きをする。この装置において、ホースは、釘の流れが阻害されないような慎重な配置を必要とするかもしれないし、このことがフレーム製作装置の設計に制約を加えることはあり得る。釘送りホースを使用することは、このホースが何ら制限されないものであるとすれば、釘打ち機の運動に制約を加えることになるかもしれない。また、「タンブラ」は大きくて嵩張るであろうし、このことも装置の設計に制約を加えることになるかもしれない。
【０００７】
他の種類の釘打ち機であれば、マガジンによる釘の供給が可能であるかもしれない。典型的に、マガジンは４０本の釘を保有し得る。このマガジンを配置することは、フレーム製作装置の設計により大きいフレキシビリティを与え、釘打ち機の位置を迅速に調整できるようにもする。しかしながら、マガジン供給式の釘打ち機には、マガジンの保有し得る釘の量が生産ライン向けとするのに比較的少ないという問題点がある。マガジンの頻繁な再充填または交替が要求されるかもしれない。
【０００８】
通常、壁は、フレームに支持材その他の部材を一端で追加することによって作られる。フレームは、部材がフレームに追加されるにつれて、その端から徐々に遠ざけられる。代表的には、フレームを外縁で板により支持するためにローラサポートが設けられる。ローラがフレームを容易に移動できるようにする。
【０００９】
壁フレームは様々な厚みの木材で作られよう。装置が木材厚みの範囲を考慮するものであるとすれば、厚みのバリエーションは、支持材における釘の間隔に影響を及ぼすかもしれない。例えば、比較的薄い木材を考慮して調整されたフレーム製作装置であれば、比較的厚い木材では釘の間隔を相応に狭めることになる。
【００１０】
壁フレーム製作装置としては、釘を支持材に打つ高さが製作ベッドに相対して調整できるホース供給式釘打ち機を使用するタイプが幾つか知られている。この種の装置は、釘を打つラムを使用し、このラムの正面で釘を木材に打ち込むのである。釘供給ホースは、ボックスで供給された釘をかき混ぜ、ばら状にして釘供給ホース用のフィーダに送り込む「タンブラ」によって釘を供給される。釘打ちラムは、製作されるフレームから幾らか距離をおいてピボット式に取付けられ、これで、支持材における釘の位置が釘打ち機の旋回によって調整できる。
【００１１】
壁フレームを建造するための装置が知られている。
英国特許第１２０２２７８号（GB1202278）は、装置本体の側面にピボットで取付けられた一対の空気圧式釘打ち機を内蔵する壁フレーム建造装置に関する。釘打ち機は概ね鉛直に、しかし、フレームの脇で弧を描いて移動する。立形ラムがピボットを作動させ、これで、銃が壁フレームの板と接触する高さと銃の角度が変えられる。板に沿って釘打ち機の高さを調整することにより、釘の対を単一の銃で板を通して共通の支持材に打ち込むことが可能となる。
【００１２】
米国特許第３８４８７９１号（US3848791）および米国特許第４０３１６０４号（US4031604）も、板を釘の対で支持材に釘付けする壁フレーム建造装置に関する。これら文書は、ピボットで取付けられ、ラムにより作動させられる釘打ち機も開示している。この場合、ピボットは支持材に平行であるので、釘を支持材に打ち込む角度は、支持材に対して僅かに平行からはずれる。
【００１３】
これらの装置が抱える問題は、釘打ち機のピボット旋回により釘が支持材に入り込む位置を調整できる反面、釘が支持材に対して１列に揃わなくなることである。１列に揃う代わりに、釘はピボットから放射状に広がることになる。
【００１４】
これらの装置が抱える別の問題は、釘が支持材の軸に対してあまり鈍角になりすぎないものとする場合、ピボットが製作されるフレームから幾らか距離をおく必要があるということである。このピボットの配置は、製作装置の設計に制約を加えるほどのかなりのスペースを要求し、かなりの広さの工場床スペースを要求するかもしれない。
【００１５】
これらの装置は更に、堅牢なセンサシステムが欠如している点で不利であり、そのため、センサを釘打ち機に取付け、センサと釘打ち機を組み合わせた形で移動させ、それで、目標物が釘打ち機の近接位置にない状況やセンサが破片屑で障害されている状況での釘打ち機の打ち損じを防止できるようにすることが必要となる。そのような打ち損じの事態は、装置のオペレータの安全を脅かすことになりかねない。
【００１６】
【特許文献１】英国特許第１２０２２７８号公報
【特許文献２】米国特許第３８４８７９１号公報
【特許文献２】米国特許第４０３１６０４号公報
【発明の開示】
【発明が解決しようとする課題】
【００１７】
本発明の課題は、上で述べた既存のフレーム製作装置が抱える幾つかの問題を克服または緩和するフレーム製作装置を提供し、または、少なくとも、フレーム製作装置における有用な選択の可能性を一般社会に提供することである。
【００１８】
本発明の更なる課題は、製作されるフレームに相対して釘打ち機の位置を鉛直方向に並進できるようにし、かつ、釘ベルトを使って釘打ち機に釘を供給するフレーム製作装置を提供することである。
【００１９】
本明細書では、用語「支持材」は、フレームの１または複数の板に垂直な何らかのフレーム構造用材を指すと理解されたい。
【００２０】
本発明の更なる課題は、釘打ち機の打ち損じやその後に続く不発を防止するために、また、装置の操作の安全性を高めるために釘打ち機に取付けられたセンサを内蔵するフレーム製作装置を提供することである。
【００２１】
本発明の更なる課題は、支持材をフレームに釘付けすることを見込んでいて、最小限の数の釘打ち機を活用し、釘供給体の頻繁な交替を必要とすることなく、相対的に多量の釘を供給できるようにするフレーム製作装置を提供することである。
【００２２】
本発明の更なる課題は、相対的に多量の釘を相対的にコンパクトな形で釘打ち機に供給できるようにするフレーム製作装置を提供することである。
【００２３】
本明細書では、用語「釘ベルト」は、送り易く、かつ扱い易くする目的で、だが、釘打ち機への供給に適した形で複数の釘をつなぎ合わせたものを指す。
【００２４】
本明細書では、「釘ベルト」と共に使用される用語「コイル」は、ロール、スプール、ロール、または、釘ベルトのようなものを含む。この用語は層状にされた釘ベルトも含むと考える。ここで「層状」は、ベルトの連続する層がジグザグに積み重なっていることを指す。
【００２５】
本明細書では、「単一の釘付け操作」は、釘が逐次的に追加される場合でも、釘を組み合わせた形でフレームに追加することを含む。例えば、付加的強度を獲得するために釘の対を使用してよい。
【００２６】
本明細書では、用語「水平」、「鉛直」は略水平、略鉛直を意味し、従って、水平ないしは鉛直からの些少な変化または逸脱が含まれる。また、この用語は、「水平」ないしは「鉛直」に合わせるか向かわせるかされた代替の方向で、重力を見込んだものであることが当業者に明白である場合、その代替の方向を指す。
【００２７】
本明細書では、用語「平面形（planar）」、「選択された平面」は、フレームまたはフレーム側面が横たわっているとみなしてよい平面を指す。部材から形成されたフレームの場合は、たとえ、該部材が有限の幅を有し、そのフレームの中で部材相互間にスペースが形成されているとしても、それは与えられた平面の中にあり得るとみなされる。
【００２８】
本明細書では、用語「プロセッサ」は、コンピュータ、マイクロプロセッサ、マイクロコントローラ、プログラマブルロジックデバイス、または、当業者に知られている他の何らかのプロセッサを指す。プロセッサ読み取り可能な媒体に記憶された「プロセッサ実行可能な命令」は、「プロセッサ」により読み取り可能な何らかの命令または構成可能な情報を含むものとする。これは、プログラマブルロジックデバイス回路のゲートまたはスイッチと同等の単純な媒体を含んでよい。
【００２９】
一般に認められている通り、「具備する」は、管轄を変更した上で、排他的意味か包括的意味かどちらかの意味を持つものとしてよい。本明細書の目的のため、また、別段の但し書きがない限り、用語「具備する」は包括的意味を持つものとする。すなわち、それが直接的に指す記載のコンポーネントだけでなく、記載されていない他のコンポーネントまたはエレメントも含むことを意味するものとする。この理論的解釈は、用語「具備した」または「具備している」が方法またはプロセスにおける１つ以上の工程に関連して使用される時も適用する。
【００３０】
本発明の更なる態様および利点は、一例として示す以下の説明から明らかとなる。
参考文献は、本明細書の中で引用した特許および特許出願も含み全ての参考文献は、本願と一体をなすものとして参照する。また、どの参考文献も先行技術を構成するとは認められない。参考文献を検討することは、その著者が引用された文献の精確であること、並びに、関連性のあることに反証する権利を主張し、出願人がそれを留保すると言明することである。複数の先行技術公報をここに参考として出すが、この参考文献のどれもニュージーランドまたは他の国において共通の一般的知識の一部をなすと認める根拠を持たないことは、はっきりと理解されるであろう。
【課題を解決するための手段】
【００３１】
本発明の一態様によれば、ここで提供されるフレーム製作装置は、
実質的にフレームの選択された平面内に釘を発射するのに適応した少なくとも１つの釘打ち機と、
センサおよび対応のインターロックとを含み、
前記センサが前記少なくとも１つの釘打ち機に取付けられており、前記センサおよび対応のインターロックが、
センサ信号を提供し、
センサ戻り信号の存否を検出し、
センサ戻り信号の存否に応答して少なくとも１つの釘打ち機からの釘の発射を阻止するのに適応していることを特徴とする。
【００３２】
このセンサおよび対応のインターロックの構成は、釘が発射される前に目標物が釘打ち機の近接位置にあることを確実にする。これは、釘を受け止める目標物が存在しない場合に釘が発射される可能性を排除する。これで、釘が危険な発射物になることは未然に防止される。加えて、センサを少なくとも１つの釘打ち機に取付けることにより、センサが破片屑で障害されるリスクが減じられる。
【００３３】
好ましくは、センサおよび対応のインターロックは、センサ戻り信号の存在しないことを検出するのに適応している。
好ましくは、センサ信号は、釘打ち機の、釘を発射する部分の付近で提供、検出してよい。
【００３４】
好ましくは、センサは、光電式センサ、コンデンサセンサ、または類似のセンサのグループの中から選択してよい。
【００３５】
対応のインターロックがセンサの近接位置で位置決めされ、センサ信号を受信するために、近い位置にないリフレクタまたは対応するセンサに近くない位置からのセンサ信号の反射を利用してよいことは、当業者にとって明白であろう。
【００３６】
本発明の一態様によれば、ここで提供されるフレーム製作装置は、
実質的にフレームの選択された平面において釘を発射するのに適応した少なくとも１つの釘打ち機と、
少なくとも１つの釘打ち機に釘を供給する釘供給手段、特に、釘のベルトを少なくとも１つの釘打ち機に供給するのに適応した釘供給手段と、
センサおよび対応のインターロックと、
少なくとも１つの釘打ち機を取付けるための少なくとも１つのマウントとを含み、
前記少なくとも１つの釘打ち機用マウントが釘打ち機を鉛直方向に並進させるのに適応しており、前記センサが前記少なくとも１つの釘打ち機に取付けられており、前記センサおよび対応のインターロックが、
センサ信号を提供し、
センサ戻り信号の存否を検出し、
センサ戻り信号の存否に応答して少なくとも１つの釘打ち機からの釘の発射を阻止するのに適応していることを特徴とする。
【００３７】
センサを釘打ち機に取付けることは、釘打ち機が鉛直方向に並進する時にセンサが釘打ち機と共に移動することを意味する。このことは当業者にとって明白であろう。
【００３８】
好ましくは、少なくとも１つの釘打ち機用マウントは、少なくとも１つのアクチュエータを使って釘打ち機を前記選択されたフレーム平面に垂直の方向に並進させるのに適応していてよい。
【００３９】
好ましくは、少なくとも１つのアクチュエータは少なくとも１つの油圧式ダブルラムでもよい。
【００４０】
ダブルラムを使用することによって、一層多数の鉛直位置を予め設定可能となる。これにより、相異なる多数の高さで釘を打つ釘打ち機を使って、釘の対をフレームの長さに沿って同じ位置に、但し、少しだけ高さの異なる位置に打ち込むことが可能となる。これで、装置は、壁フレームについて様々な建築基準を適用できることになる。
【００４１】
好ましくは、前記選択されたフレーム平面は水平でもよい。
好ましくは、フレーム製作装置は、フレーム構造用材を支持するための少なくとも１つのサポートを含む。
【００４２】
好ましくは、サポートの少なくとも一部分が、前記サポートと前記フレーム構造部材の間に所定の摩擦度を提供するのに適応していてよい。
好ましくは、前記サポートの前記部分がエンボス塗装を具備する。
【００４３】
好ましくは、フレーム製作装置は、少なくとも１つの釘打ち機に釘を供給する釘供給手段、特に、釘のベルトを少なくとも１つの釘打ち機に供給するのに適応した釘供給手段を含む。
【００４４】
好ましくは、釘供給手段はコイル状釘ベルトを含む。
好ましくは、コイル状釘ベルトは約１０００本超の釘を具備する。
好ましくは、コイル状釘ベルトは約２５００本以上の釘を具備する。
【００４５】
好ましくは、釘供給手段は、前記コイル状釘ベルトを解けるようにするために水平である中心軸を中心として回転するのに適応していてよい。
【００４６】
好ましくは、装置は、釘ベルトを少なくとも１つの釘打ち機に給送する釘ベルトフィーダ、特に、ベルトの中の釘を少なくとも１つの釘打ち機に向けて強制的に給送するのに適応したフィーダを含む。
【００４７】
好ましくは、釘ベルトフィーダは、釘ベルトにおけるどんな張力も釘打ち機から遠ざかる方向で吸収するのに適応していてよい。
【００４８】
好ましくは、釘ベルトフィーダは、少なくとも１つの係合手段と、前記係合手段のための少なくとも１つのアクチュエータを含み、ここで、係合手段が釘打ち機に向かう方向でベルトの中の釘と係合するように、係合手段がアクチュエータによって釘ベルト全体にわたって往復させられるようになっている。
【００４９】
好ましくは、少なくとも１つの係合手段は少なくとも１つの爪を具備する。
好ましくは、装置はコイル状釘ベルト用マウントを含む。
好ましくは、コイル状釘ベルト用マウントは、上にコイル状釘ベルトを取付けてよいバレルを含む。
【００５０】
好ましくは、バレルは、略水平の平面内にある軸を中心として回転するように配置してあってよい。
【００５１】
好ましくは、前記コイル状釘ベルト用マウントは、少なくとも解くコイル回転方向において前記コイル状釘ベルトの回転に耐えられる抵抗力を与える手段を含む。
【００５２】
この抵抗力が、コイル中心軸を水平平面内に置いた状態で前記コイルを取付けできるようにする。これにより、釘打ち機は、コイル状釘ベルトが送られてくる間、その鉛直位置が調整できることになる。抵抗力がコイル状釘ベルトに与えられなかった場合、釘の重みによりコイルはばら状に解けてしまうことになる。
【００５３】
好ましくは、フレーム製作装置は、フレームを選択されたフレーム平面においてクランプするのに適応した少なくとも１つの一次クランプ面を含む。
【００５４】
好ましくは、前記選択された平面は水平とすることができ、少なくとも１つの一次クランプ面は水平方向に作用するのに適応していてよい。
前記一次クランプ面は、支持材を２枚の板の間の位置でクランプする。
【００５５】
好ましくは、フレーム製作装置は、選択されたフレーム平面内でフレームの部材を整列するようにクランプするのに適応した少なくとも１つの二次クランプ面を含む。
【００５６】
好ましくは、前記平面は水平とすることができ、二次クランプ面は、フレームの部材を垂直方向で揃えてクランプするのに適応していてよい。
【００５７】
好ましくは、二次クランプ面は、支持材と板の双方がフレームの水平平面において面一になるように前記双方を垂直方向で揃えてクランプするのに適応していてよい。
【００５８】
好ましくは、フレーム製作装置は、
少なくとも１つの釘打ち機と、
少なくとも１つの釘打ち機マウントと、
少なくとも一次クランプ面と、
少なくとも二次クランプ面と、のうち少なくとも１つを制御するのに適応したコントローラを含む。
【００５９】
好ましくは、フレーム製作装置は、前記コントローラのための制御入力デバイスを含む。
【００６０】
本明細書全体を通じて、用語「制御入力デバイス」は、オペレータにより機械を作動させるメカニズムを意味すると理解されたい。この制御入力デバイスは、赤外線ビーム、バー等々の相異なる多様な形態とすることができよう。
【００６１】
好ましくは、前記制御入力デバイスは、偏心ピボットを付けたバーと、このバーが旋回して作動位置に入った時点を検出するのに適応した検出器を含む。
【００６２】
本明細書全体を通じて、用語「バー」は、壁フレーム製作装置の幅の略全体に延びる剛性の、略真直の長尺材料を意味すると理解されたい。このバーは、クランプまたは解放、釘打ち機の並進および発射の操作順序がオペレータにより決められた通りプログラムされた場合に、これをアレンジすべくコントローラをトリガするのに使用される。これらの作業により、板は支持材に釘付けされる。
【００６３】
便宜上、バーは、単純にコントロールバー、キックバー、アクティベーションバーおよび／またはクランピングバーと称することができる。
【００６４】
好ましくは、コントロールバーは、オペレータが支持材を置く時に立つ位置でオペレータの膝により（ハンズフリーで）作動させられる。コントロールバーのハンズフリー操作はまた、オペレータが詰め物（noggin）を詰め、釘付けすることも可能にする。
【００６５】
しかしながら、思うに、コントロールバーを作動させるのにオペレータは手または他の身体部分のどこを使用してもよいのだから、ハンズフリー操作を本発明における制限とはならないであろう。
【００６６】
好ましくは、コントロールバーは重力によって非作動（ダウン）位置へ戻され、装置を上述の通り作動させるべく持ち上げられた時、工業用マイクロスイッチをトリガする。このように、このコントロールバーはセンサと共に二重安全機構として働く。つまり、コントロールバーが係合していなければ、機械は作動せず、釘を発射することにならないからである。
【００６７】
好ましくは、前記少なくとも１つのピボットは、重力下での旋回運動を制限するストッパを具備する。
【００６８】
好ましくは、コントローラは、釘打ち機の少なくとも１つの予め設定された並進位置を記憶するのに適応していてよい。
【００６９】
好ましくは、予め設定された並進位置は、実質的に単一の釘打ち操作でフレームに追加される釘の対に対応する並進位置の対を含む。
【００７０】
好ましくは、コントローラは、前記制御入力デバイスがアクティブとなると、釘打ち操作における一連のイベントを開始するのに適応していてよい。
【００７１】
好ましくは、コントローラは釘打ち操作における下記の一連のイベントを開始するのに適応していてよい。
【００７２】
前記釘打ち機用マウントが釘打ち機を第１の予め設定された釘打ち位置へ並進させ、前記釘打ち機が１本の釘を発射する。
【００７３】
好ましくは、前記一連のイベントの後に下記のイベントが続いてよい。
前記釘打ち機用マウントが釘打ち機を第２の予め設定された釘打ち位置へ並進させ、２本目の釘を発射する。
【００７４】
好ましくは、前記一連のイベントが、前記一次クランプ面および／または二次クランプ面によるフレームのクランプと共に進行してよい。
【００７５】
好ましくは、フレームは一次平面を有する略平面形とすることができ、選択された平面は実質的にフレームの一次平面でもよい。
【００７６】
好ましくは、コントローラは、下記の工程を実行するのに適応したプロセッサ読み取り可能な媒体に記憶されたプロセッサ実行可能な一連の命令を具備する。
ユーザ制御入力を受け取る。
釘打ち機の位置を予め設定された第１の位置に対して調整するよう釘打ち機用マウントに制御信号を送信する。
【００７７】
釘を発射するよう釘打ち機に制御信号を送信する。
戻り信号が所定の基準の合致することを示すセンサと通信する。
前記所定の基準に合致しない場合に釘を発射しないよう釘打ち機に何らかの制御信号を送信する。
【００７８】
好ましくは、プロセッサ実行可能な命令は更に、釘打ち機を予め設定された第２の位置へ移動させるよう釘打ち機用マウントに制御信号を送信し、釘を発射するよう釘打ち機に制御信号を送信する段階を実行するようになっている。
【００７９】
好ましくは、プロセッサ実行可能な命令は更に、第１のクランプおよび／または第２のクランプを所定の順序で、または、同時に作動させるよう制御命令を出す段階を実行するようになっている。
【００８０】
本発明の別の態様によれば、
１．実質的にフレームの選択された平面内に釘を発射するのに適応した少なくとも１つの釘打ち機を準備する工程と、
２．板をフレーム製作装置の長さに沿った所望の１点で位置決めする工程と、
３．支持材を板およびフレーム製作装置に相対して位置決めする工程と、
４．釘打ち機の打ち損じを防止すべくセンサおよび対応のインターロックを構成する
工程を含む、本発明のフレーム製作装置を使用するフレーム製作方法は、
５．センサ信号を提供する工程と、
６．センサ戻り信号の存否を検出する工程と、
７．センサ戻り信号の存否に応答して少なくとも１つの釘打ち機からの釘の発射を阻止する工程とを特徴とする。
【００８１】
好ましくは、フレーム製作方法は更に、下記の工程を実行するのに適応している。
８．プロセッサ実行可能な一連の命令を開始するコントローラを具備する本装置の制御入力デバイスをアクティブ化させる。
９．制御入力デバイスを非アクティブ化させる。
好ましくは、上で述べた方法の制御入力デバイスはコントロールバーである。
【００８２】
好ましくは、上で述べたフレーム製作方法の工程８、９は下記の工程を具備する。
８．装置を作動させ、プロセッサ実行可能な一連の命令を開始するコントローラをトリガすべくコントロールバーを持ち上げる工程。
９．コントロールバーを重力下でその元の位置へ戻し、それで装置の作動を止めさせる工程。
【００８３】
装置は下記の利点を有する。
釘打ち機の打ち損じのリスクが減じられ、その結果、装置の安全性、操作性および効率が高められる。
２つ以上の予め設定された高さ位置が適用でき、それで、多様な建物コード標準が壁フレームに適用できる。
【００８４】
コントロールバースイッチの長さゆえにフレームがどんな位置からもクランプできる。
スイッチが手または膝で操作できる。
【００８５】
オペレータは木材の位置決めにあたって両手を空けておくことができ、それで、木材表面に手でマークを付けることができるので、作業の精度が高められる。
【００８６】
両手が空いていることから、一般に木材が最初から正確に位置決め、クランプされるので、クランプ後の木材を位置決めし直す必要が少なくなる。
【００８７】
オペレータは、クランプと釘打ちのプロセスを実行するために機械の中心位置に戻る必要が少なくなるので、作業エリア周囲の移動時間を節約できる。
【００８８】
釘がブレース部材と平行に揃えられる。
コントロールバーが係合するまで、機械は作動せず、釘を発射することにならないので、これがセンサと共に二重安全機構として作用する。
【００８９】
釘打ち機の垂直並進が、コイル状釘ベルトから釘打ち機への釘供給を容易にし、また、コンパクトな壁フレーム製作機械への釘の大量補給を容易にする。
【００９０】
本発明は、先行技術の問題点、すなわち、釘打ち機の打ち損じ、釘打ち機への釘の流れの制約、釘打ち機の動作の制約、釘マガジンが生産ライン向けとするのに比較的少ない量しか釘を保有できない、釘がブレース部材と揃えられない、支持材に入り込む釘の位置が揃えられない、比較的嵩張る形の釘打ち機、釘打ち機の打ち損じやその後に続く不発が装置のオペレータの安全を脅かしかねない等々の問題点を解決する。
【発明を実施するための最良の形態】
【００９１】
本発明の更なる態様は、添付図面に則して以下の説明を通して明らかとなる。
図１には、全体が矢印１で指示されたフレーム製作装置が示されている。装置１は、これが製作されていくにつれてフレーム（図示せず）をＡ方向に移動させていくオペレータ（図示せず）のための作業エリア１ａを有する。
【００９２】
装置１は、装置１の両側に一対のフレームサポート３４を有する。
装置１は、また、装置の全長の途中に一対のクランプ／釘打ちステーション５ａ、５ｂを有する。クランプ／釘打ちステーションの主目的は、支持材（図示せず）をフレーム内の板（図示せず）に釘付けすることである。
【００９３】
図２は、同じフレーム製作装置１の端面図である。フレーム２が装置上に配置されている。フレームは板３および支持材４を有する。フレーム製作装置１は、装置の一方の側にクランプ／釘打ちステーション５を有する。このクランプ／釘打ちステーション５は、フレーム製作装置１の全長の略中央に位置決めされている。クランプ／釘打ちステーション５は、フレーム２の相異なる幅を受け入れるべくＢ方向に調整できる。ドリー６が、クランプ／釘打ちステーション５を支持し、Ｂ方向の運動を可能にすべく設けられている。
【００９４】
図３は、クランプ／釘打ちステーション５に配置されたフレーム製作装置１の一部分の側面図である。図３は、コイル状釘ベルト（図示せず）のためのマウント２４を示す。この釘ベルトマウント２４は水平軸２５を中心として回転する。
図４は、クランプ／釘打ちステーション５の平面図である。
【００９５】
図５は、クランプ／釘打ちステーション５の拡大端面図である。このステーションは、水平クランプ用アクチュエータ１１により駆動され、矢印Ａで表された方向に移動する水平クランプ面１０を有する。このクランプ面１０とアクチュエータ１１は、クランプ／釘打ちステーション５の往復クランプ面（図示せず）と協働して、釘付け前の板３を支持材４に押し付ける働きをする。クランプ／釘打ちステーション５はまた、板３と支持材４を釘付け前の位置にクランプすべく垂直クランプ面１２と垂直クランプ用アクチュエータ１３を有する。
【００９６】
板３を支持材４に定着させる釘は釘打ち機１５により提供される。釘打ち機１５は、釘打ち機マウント１６にボルトにより固定されている。釘打ち機マウント１６はタンデム形の一対のアクチュエータ１７、１８を具備し、これにより、マウント１６、すなわち釘打ち機１５は垂直方向に並進させられる。マウント１６は一対の鉛直レール（図示せず）を有し、これに沿って釘打ち機マウントの一部が摺動する（図示せず）。タンデム形の一対のアクチュエータを使用することによって、一層多数の鉛直位置を予め設定可能となる。釘打ち機マウント１６の鉛直調節機能によって、釘打ち機マウントの高さ調整が可能となる。
【００９７】
これで、相異なる多数の高さで釘を打つ釘打ち機１５を使って、釘の対をフレームの長さに沿って同じ位置に、但し、少しだけ高さの異なる位置に打ち込むことが可能となる。単純に釘の対を使用するのは、フレームに強度を追加するためである。
【００９８】
フレーム製作装置１は、また、釘打ち機マウント用アクチュエータ１７、１８と、水平押圧アクチュエータ１１と、鉛直押圧アクチュエータ１３とを制御するコントローラ（図示せず）を有する。
【００９９】
フレーム製作装置１はまた、クランプ／釘打ちステーション５に押圧／釘打ちを順次実行させるために設けられたアクティベーションバー１９を有する。アクティベーションバー１９は、図２が示す通り、フレーム製作装置１の幅の大部分を横切って延びる。アクティベーションバー１９は、装置１のオペレータが自分の膝でバーをコントロールするのに適した高さおよび位置にある。
【０１００】
代表的に、装置１のオペレータは、上バー１９ａを持ち上げ、次にこれを重力下でその元の位置に戻す。上バー１９ａまたはそのヒンジの部分が、代表的に、コントローラ（図示せず）のための制御入力として働くマイクロスイッチを含む。アクティベーションバー１９は、より詳細に図６に示してある。バー１９ａは、一対の部材２０ａ、２０ｂにより一対のピボット２１ａ、２１ｂに連結されている。休止（非作動）位置にあるとき、バーは一対のストッパ２２ａ、２２ｂと向き合っている。
【０１０１】
クランプ／釘打ちステーション５の操作については、以下、図２に示した例に則して図解する。フレーム製作装置１のオペレータは、フレーム製作装置１の長さに沿った所望の１点で板３を位置決めすることができる。オペレータは、次に、支持材４を追加することができ、支持材４が正しい位置にあることを確認したならば、キックバー１９を例えば自分の膝で押す。
【０１０２】
これで、コントローラ（図示せず）は、クランプ面１０を向き合う押圧表面（図示せず）に向けて内向きに移動させ始める。この動作により、板は支持材４に押し付けられる。
【０１０３】
そこで、コントローラはアクチュエータ１３により作動させらる押圧表面１２を作動させ、板３と支持材４の隣接し合う縁部を押し下げる。これにより、板３と支持材４は鉛直方向に正しく揃えられ、これで、これら双方はフレームの所望の平面において面一に横たわることになる。コントローラは次に、釘打ち機マウント１６を作動させ、釘打ち機１５を第１の高さ（この高さは、板３の底からの板３の高さの１／３とすることができる）へ移動させる。そこで、コントローラは釘打ち機を作動させ、釘を発射させる。発射された釘は、板３と支持材４に突き入り、両者を固定する。
【０１０４】
コントローラは次に、釘打ち機マウント１６を作動させ、釘打ち機１５を第２の位置に相当する高さ（この高さは、板３の底からの板３の高さの２／３とすることができる）へ移動させ、その位置で釘打ち機１５に釘を発射させる。この時点で、２本の釘が板３の高さの略三分の一と三分の二の位置で板３を突き抜けて支持材４の中まで延びている。コントローラは次に、アクチュエータ１１により駆動されたクランプ面１０を外向きに移動させ、アクチュエータ１３により駆動されたクランプ面１２を下向きに移動させる。これで、フレームは解放され、オペレータは、フレームを更にフレーム製作装置１を下る方向に移動させ、それで、例えば次の支持材３を置くことが可能となる。
【０１０５】
図７、８を参照すると、釘打ち機マウント１６の側面および平面が図示されている。マウント１６は一対の鉛直レール５１ａ、５１ｂを有する。釘打ち機マウント１６の可動段５２がレール５１ａ、５１ｂに沿って摺動する。可動段５２は、レール５１ａ、５１ｂに合わせて成形された軌道５３ａ、５３ｂを有する。
【０１０６】
図８は、レール５１ａ、５１ｂと可動段５２を付けたマウント１６の正面図である。円５３は、取付けられた釘打ち機が取り得る位置を表す。
【０１０７】
図９は、釘ベルトマウント２４の側面図を示し、釘ベルトマウント２４は、その水平軸２５の中に芯軸２７を取付けるための部材２６を有する。図１０は、同じ釘ベルトマウント２４の平面図を示す。釘ベルトマウント２４は、芯軸２７を中心とするバレル２３の単純な回転により釘ベルト（図示せず）が自身の重みでマウント２４から外れるのを防止するブレーキシステム２８を有する。
【０１０８】
ブレーキシステム２８は、コイルばね（図示せず）の内に装着された調整ボルト２９を有する。調整ボルト２９の調整により、取付け用部材２６に最も近いバレル２３の面は、可変の圧力でブレーキパッド３０に押圧される。従って、調整ボルト２９、ばね（図示せず）、バレル２３およびブレーキパッド３０は、調整可能な摩擦クラッチを形成する。このクラッチによって、コイル状釘ベルト（図示せず）は、鉛直回転軸ではなく、水平回転軸２５に取付け可能となり、自重によってマウント２４から脱離することがなくなる。これにより、更に、水平方向に釘を発射しながら鉛直方向に移動する釘打ち機１５へ釘を供給するためにコイル状釘ベルトを使用可能となる。
【０１０９】
図１１は、先の図と同様のクランプ／釘打ちステーション５の平面図である。図１１には、垂直押圧表面１２（図示せず）とクランプ面１０を作動させるためのアクチュエータ１３が示されている。釘打ち機１５は、上の垂直アクチュエータ１８と下の垂直アクチュエータ（図示せず）を有する釘打ち機マウント１６に取付けられている。釘ベルト３１は、釘コイル（図示せず）を乗せるマウント２４のバレル２３に取付けられた釘ベルトコイルから延びる。釘打ち機１５の垂直移動は、釘打ち機１５への釘ベルト３１の送りに影響しない。
【０１１０】
フレーム製作装置１は、板が給送されるクランプ／釘打ちステーション５の一方の側に支持レール３４を有する。レールの目的は、板３がクランプ／釘打ちステーション５に給送される際に該板を支持することである。サポート３４は、エンボス塗装を施した表面３５を有する。この表面３５が、オペレータによりクランプ／釘打ちステーション５に向けて摺動させられる板３との間に適当なレベルの摩擦を生じさせ、これにより、板がクランプ／釘打ちステーション５に関して所望の位置を行き過ぎるオーバランが回避される。好適なエンボス塗装は、当業者には明らか或いは日常の経験から明らかとなろう。支持レール３４は、クランプ／釘打ちステーション５の下側を、釘付けされた支持材が現れ出る側に向かって延設されている。通常、このサポート側には、運動を容易にするためにローラ３６が設けられている。
【０１１１】
図１２は、釘ベルト３１を釘コイルマウント２４から釘打ち機１５に給送するのに使用されるアクチュエータ３２を示す。アクチュエータ３２は、このアクチュエータがＣ方向に延伸するたびに釘打ち機１５に向かう方向に釘を引き寄せ、アクチュエータがＣと反対の方向に引っ込むたびに釘を越えて摺動する標準の釘ベルト送り爪機構を具備する。アクチュエータ３２を延伸させたり引っ込めたりすることにより、釘ベルト３１の中の釘は漸進的に釘打ち機１５の方へ引っ張られていく。コントローラはまた、釘ベルト送り用アクチュエータ３２を作動させるが、このような作動が何時要求されるかは当業者にとって明白であろう。例えば、それは毎回、釘発射の直後でもよい。
【０１１２】
図１３は、センサ４０およびセンサインターロック４１を備えた釘打ち機１５の概略図である。センサ４０は送信機４２と受信機４３を有する。送信機４２は、例えば板３など、釘付けすべき目標物から反射された信号を送信する。反射された信号は受信機４３で検出され、これによってインターロック４１がアクティブとなり、コントローラ４４の部分からの信号送出を許可する。戻り信号が受信機４３で検出されなかった場合、コントローラは、釘打ち機１５に発射の命令を出することを許可されない。当業者にとって明白であろうが、センサ４０を釘打ち機１５に取付けることは、操作時、銃が発射位置から発射位置までの間を並進するにつれてセンサ４０がその釘打ち機と共に移動することを意味する。そこで、図１３に則して説明すると、例えば、センサ４０が板３の上方にくるように釘打ち機が鉛直方向に並進した場合、戻り信号が受信機４３で検出されず、インターロック４１がアクティブとならず、コントローラは釘打ち機１５に発射を命令する信号を送信できない。このセンサの配置は、釘が発射される前に目標物が釘打ち機の近接位置にあることを確実にする。これは、釘を受け止める目標物３が存在しない場合に釘が発射される可能性を排除する。これで、釘が危険な発射物になることは未然に防止される。インターロックがコントローラ（図示せず）と一体とすることができることは、当業者には理解されるであろう。コントローラ（図示せず）が何時どのようにセンサと通信するのが良いかは、当業者にとって明白であろう。例えば、コントローラは、発射信号が釘打ち機１５に送られる前に必ず記録を付けるコントローラレジスタを連続的に更新してよい。或いは、センサが満足な戻り信号を受信しない時に信号をブロックするために、コントローラと釘打ち機の間にインターロックおよび同種機能を導入してよい。
【０１１３】
また、戻り信号をどのように評価するかも、当業者にとっては明白である。１つの例では、送信機４２と受信機４３を校正し、その上で、戻り信号が満足であるか否か局部的に特定する。或いは、コントローラ（図示せず）が受信機４３から生データを受け取り、これを保存された基準と比較してよい。
【０１１４】
以上、本発明の態様を例に則して説明したが、特許請求項の範囲から逸脱することなくこれに変更および追加を施してよいことは推察されたい。
【図面の簡単な説明】
【０１１５】
【図１】本発明の好ましい実施例に係るフレーム製作装置の図解的平面図である。
【図２】図１と同じ本発明の好ましい実施例に係るフレーム製作装置の側断面図である。
【図３】図１、２と同じ本発明の好ましい実施例に係るフレーム製作装置の端断面図である。
【図４】図１〜３と同じ本発明の好ましい実施例に係るフレーム製作装置の一断面の平面図である。
【図５】図１〜４と同じ本発明の好ましい実施例に係るフレーム製作装置の細部を示す図２の詳細図である。
【図６】図１〜５と同じ本発明の好ましい実施例に係るフレーム製作装置のインタフェースコントロールバーを示す。
【図６Ａ】図１〜５と同じ本発明の好ましい実施例に係るフレーム製作装置のインタフェースコントロールバーを示す。
【図７】図１〜６と同じ本発明の好ましい実施例に係る釘打ち機用マウントの平面図である。
【図８】図１〜７と同じ本発明の好ましい実施例に係る釘打ち機マウントの正面図である。
【図９】図１〜８と同じ本発明の好ましい実施例に係る釘ベルト用マウントの側面図である。
【図１０】図１〜９と同じ本発明の好ましい実施例に係る釘ベルト用マウントの平面図である。
【図１１】図１〜１０と同じ本発明の好ましい実施例に係るフレーム製作装置の細部を示す図４の詳細平面図である。
【図１２】図１〜１１と同じ本発明の好ましい実施例に係る釘打ち機用釘ベルトフィーダのためのアクチュエータを示す。
【図１３】図１〜１２と同じ本発明の好ましい実施例に係るセンサ、インターロックの概略図である。
【符号の説明】
【０１１６】
１    フレーム製作装置
１ａ    作業エリア
２    フレーム
３    板
４    支持材
５    クランプ／釘打ちステーション
６    ドリー
１０    水平クランプ面
１１    アクチュエータ
１２    垂直クランプ面
１３    アクチュエータ
１５    釘打ち機
１６    釘打ち機マウント
１７    アクチュエータ
１８    アクチュエータ
１９    アクティベーションバーまたはキックバー
２０    部材２０
２２    ストッパ
２３    バレル
２４    釘ベルトマウント
２５    水平軸
２６    部材
２７    芯軸
２８    ブレーキシステム
２９    調整ボルト
３０    ブレーキパッド
３１    釘ベルト
３２    アクチュエータ
３４    フレームサポート
４０    センサ
４１    インターロック
４２    送信機
４３    受信機
４４    コントローラ
５１    レール
５２    可動段
【図１】
2009508727.tif 000003
【図２】
2009508727.tif 000004
【図３】
2009508727.tif 000005
【図４】
2009508727.tif 000006
【図５】
2009508727.tif 000007
【図６】
2009508727.tif 000008
【図６Ａ】
2009508727.tif 000009
【図７】
2009508727.tif 000010
【図８】
2009508727.tif 000011
【図９】
2009508727.tif 000012
【図１０】
2009508727.tif 000013
【図１１】
2009508727.tif 000014
【図１２】
2009508727.tif 000015
【図１３】
2009508727.tif 000016
【国際調査報告】
2009508727.tif 000017
2009508727.tif 000018
2009508727.tif 000019
2009508727.tif 000020
2009508727.tif 000021